(57)【要約】【課題】  歯槽骨に損傷を殆ど与えることなく、インプラントを歯槽骨の埋め込み孔に挿入して埋設することができ、これによって、仮歯や義歯を短期間で歯槽骨に固定できる歯科用インプラントを提供すること。【解決手段】  拡大部１８を吸収型糸１９で縛り収縮させて、歯根部１７を埋め込み孔２９に挿入できるので、埋め込み孔２９の内面２９ａを殆ど損傷させずにインプラント１２を歯槽骨１４に埋設できる。よって、例えばインプラント１２を歯槽骨１４に埋入したその日のうちに、インプラント１２に仮歯を取り付けることができる。そして、拡大部１８は、それ自体の復元力によって拡大するので、インプラント１２が歯槽骨１４に与える損傷を小さくすることができ、歯槽骨１４の損傷が短期間で回復する。よって、インプラント１２を歯槽骨１４に埋入した時から短い期間（例えば約１箇月）内で義歯をインプラントに取り付ける準備ができる。【選択図】      図５
2005342157.tif 000002
【特許請求の範囲】
【請求項１】
義歯を歯槽骨に固定するためのものであって、歯槽骨に埋め込まれる歯根部を備える歯科用インプラントにおいて、
前記歯根部は、歯槽骨に埋め込まれたときに、弾性力及び形状記憶効果のいずれかに基づく復元力によって外側に拡大する拡大部を有することを特徴とする歯科用インプラント。
【請求項２】
前記拡大部は、互いに間隔を隔てて配置された複数の脚部を備え、中心軸に直交する断面の外表面がほぼ円形であることを特徴とする請求項１記載の歯科用インプラント。
【請求項３】
前記拡大部の内側に空間部が形成され、前記空間部に人工骨の粉粒体が収容されていることを特徴とする請求項１又は２記載の歯科用インプラント。
【請求項４】
前記粉粒体が吸収型包装体で包まれていることを特徴とする請求項３記載の歯科用インプラント。
【請求項５】
前記拡大部は、吸収型包装体によって包まれていることを特徴とする請求項３記載の歯科用インプラント。
【請求項６】
前記粉粒体が帆立貝の貝殻を粉砕したものであることを特徴とする請求項３乃至５のいずれかに記載の歯科用インプラント。
【請求項７】
前記拡大部が吸収型糸で縛られて収縮していることを特徴とする請求項１乃至6のいずれかに記載の歯科用インプラント。
【請求項８】
前記吸収型糸が前記拡大部の外表面に形成された溝に収容されていることを特徴とする請求項7記載の歯科用インプラント。
【請求項９】
帆立貝の貝殻を粉砕してできた粉粒体を少なくとも前記拡大部の外表面に固着させたことを特徴とする請求項１乃至８のいずれかに記載の歯科用インプラント。
【請求項１０】
前記歯根部の表面に凹部及び切欠きのうちのいずれかを形成したことを特徴とする請求項１乃至９のいずれかに記載の歯科用インプラント。
【請求項１１】
前記歯根部は、義歯が取り付けられる保持部と一体に形成されていることを特徴とする請求項１乃至１０のいずれかに記載の歯科用インプラント。
【請求項１２】
前記歯根部の外表面は、チタン及びチタン合金のいずれかによって形成されていることを特徴とする請求項１乃至１１のいずれかに記載の歯科用インプラント。
【発明の詳細な説明】
【技術分野】
【０００１】
本発明は、義歯（補綴物）を歯槽骨に固定するための歯科用インプラントに関する。
【背景技術】
【０００２】
従来の歯科用インプラントの一例として図８に示すものがある（例えば、特許文献１参照。）。この歯科用インプラント１は、同図に示すように、人工歯根となる脚部２と、義歯（図示せず）が取り付けられる頭部３とを備えている。頭部３には雄ねじ部４が設けられており、この雄ねじ部４は、脚部２に形成されている雌ねじ部５に螺合している。これによって、頭部３と脚部２とが互いに結合している。そして、脚部２の外周面には、雄ねじ部６が形成されている。このように、脚部２の外周面に雄ねじ部６を形成してあるのは、脚部２を歯槽骨に植設したときに、この雄ねじ部６によって、脚部２の外周面と歯槽骨との結合力を高めることができるからである。
【０００３】
しかし、図８に示す歯科用インプラント１では、脚部２の外周面に形成した雄ねじ部６を歯槽骨に形成した埋め込み孔に螺合させるときに、歯槽骨の埋め込み孔の内面の全体に、この雄ねじ部６によって損傷を与えることとなる。この歯槽骨が受ける損傷は、回復するのに長期間（約４〜６箇月）を要するので、仮歯や義歯を取り付けるまでに、約４〜６箇月以上の相当の期間を必要とする。
【０００４】
そこで、歯槽骨に大きな損傷を与えることなく歯科用インプラントを歯槽骨に植設できるようにしたものがある（例えば、特許文献２参照。）。図９（ａ）に示す歯科用インプラント７は、歯槽骨に形成される埋め込み孔に挿入する前の収縮状態を示している。図９（ｂ）は、歯槽骨に形成された埋め込み孔にインプラント７を挿入して、拡大部１０、１０を拡大させた状態を示している。
【０００５】
このインプラント７を歯槽骨の所定箇所に埋設するときは、まず、図９（ａ）に示す収縮状態のインプラント７を歯槽骨に形成された埋め込み孔に挿入する。そして、雄ねじ部８を所定方向に回転させる。これによって、図９（ｂ）に示すように、この雄ねじ部８に螺合する２つの各押上体９、９が上昇して、各押上体９、９の外面に形成されている傾斜面が拡大部１０、１０を外側に押し広げることができ、拡大部１０、１０が拡大した状態となる。拡大部１０が拡大した状態となると、拡大部１０が歯槽骨の埋め込み孔の内面と係合することができ、脚部１１が歯槽骨と強力に結合した状態となる。
【０００６】
このように、図９（ａ）、（ｂ）に示す歯科用インプラント７によると、拡大部１０、１０によって、埋め込み孔の内面の一部を損傷させるだけで済むので、内面全体を損傷させる図８に示すインプラント１と比較して、損傷を小さくすることができ、よって、歯槽骨の損傷が回復するまでの期間を短くすることができる。従って、インプラント７に仮歯や義歯を取り付けるまでの期間を、図８に示すインプラント１よりも短くすることができる。
【特許文献１】特開平８−２６６５５８号公報
【特許文献２】特開２０００−９３４３５号公報
【発明の開示】
【発明が解決しようとする課題】
【０００７】
しかし、図９（ａ）、（ｂ）に示す従来の歯科用インプラント７では、雄ねじ部８を回転させて、拡大部１０、１０を埋め込み孔内で強制的に押し広げることによって、この拡大部１０、１０を埋め込み孔の内面に係合させているので、拡大部１０、１０がその内面の一部を極度に損傷させることとなる。従って、その極度に損傷した部分が回復するまでは、インプラント７に仮歯や義歯を取り付けることができないという問題がある。
【０００８】
本発明は、上記のような課題を解決するためになされたものであり、歯槽骨に損傷を殆ど与えることなく、インプラントを歯槽骨の埋め込み孔に挿入して埋設することができ、これによって、仮歯や義歯を短期間で歯槽骨に固定できる歯科用インプラントを提供することを目的としている。
【課題を解決するための手段】
【０００９】
本発明は、義歯を歯槽骨に固定するためのものであって、歯槽骨に埋め込まれる歯根部を備える歯科用インプラントにおいて、前記歯根部は、歯槽骨に埋め込まれたときに、弾性力及び形状記憶効果のいずれかに基づく復元力によって外側に拡大する拡大部を有することを特徴とするものである。
【００１０】
この発明の歯科用インプラントによると、歯根部を歯槽骨に埋設して、この埋設されたインプラントに仮歯や義歯を取り付けることができる。インプラントを歯槽骨に埋設するときは、まず、例えば歯槽骨に埋め込み孔を形成する。そして、インプラント（歯根部）の拡大部を収縮させた状態にして、歯根部を埋め込み孔に挿入する。このように、収縮した歯根部を埋め込み孔に挿入すればよいので、埋め込み孔の内面を殆ど損傷させることなく歯根部を埋設できる。
【００１１】
そして、歯根部を埋め込み孔に挿入した状態で、拡大部が弾性力又は形状記憶効果に基づく復元力によって外側に拡大する。拡大部が拡大する過程で、歯根部が埋め込み孔の内面に固着すると共に、拡大部がほぼ元の拡大した形状に戻る。このように、歯根部が埋め込み孔の内面に固着すること、及び拡大部がほぼ元の拡大した形状に戻ることによって、インプラントが歯槽骨に固定される。そして、拡大部が、強制的に短時間で拡大するのではなく、それ自体の復元力によって時間を掛けて拡大するので、インプラントが歯槽骨に与える損傷を小さくすることができて、インプラントを歯槽骨に強固に固定することができる。また、歯槽骨内で拡大部が拡大するので、インプラントが歯槽骨から抜け難くすることができる。
【００１２】
そして、この発明の歯科用インプラントにおいて、前記拡大部は、互いに間隔を隔てて配置された複数の脚部を備え、中心軸に直交する断面の外表面がほぼ円形であることを特徴とするものとしてもよい。このようにすると、拡大部を収縮させる方向に力を掛けると、各脚部がそれぞれの隙間を狭める方向に変形するので、拡大部を収縮させることができる。そして、この収縮方向の力を取り除くと、弾性力又は形状記憶効果に基づく復元力によって外側に拡大して元の形状に戻る。また、拡大部の断面の外表面がほぼ円形であるので、このインプラントを埋め込むための埋め込み孔をキリで簡単に形成することができる。
【００１３】
また、この発明の歯科用インプラントにおいて、前記拡大部の内側に空間部が形成され、前記空間部に人工骨の粉粒体が収容されているようにするとよい。このようにすると、インプラントの歯根部が歯槽骨内に埋め込まれた状態で、拡大部内に収容されている人工骨の粉粒体が、歯根部と歯槽骨との結合を促進させることができる。そして、この粉粒体が拡大部及び歯槽骨と一体となることによって、インプラント自体の強度を高めることができ、インプラントが咬合圧に十分に耐えられるようにできる。
【００１４】
更に、この発明の歯科用インプラントにおいて、前記粉粒体が吸収型包装体で包まれるようにするとよい。そして、前記拡大部を、吸収型包装体によって包むようにしてもよい。このようにすると、拡大部内に収容されている粉粒体が拡大部から分離して零れ出ないようにできる。そして、吸収型包装体は、加水分解等によって体内に吸収されるものであり、体内に異物として残らないようにすることができる。
【００１５】
そして、この発明の歯科用インプラントにおいて、前記粉粒体が帆立貝の貝殻を粉砕したものとするとよい。帆立貝の貝殻は、新生骨形成を促進させる効果があると共に、除菌効果があるので、歯科用インプラントを歯槽骨に対して強固で安全に埋設するのに適している。
【００１６】
また、この発明の歯科用インプラントにおいて、前記拡大部が吸収型糸で縛られて収縮しているようにするとよい。このように、拡大部を吸収型糸で縛って収縮させると、この拡大部が形成されている歯根部を、歯槽骨に形成された埋め込み孔に、歯槽骨を損傷させないようにして簡単に挿入することができる。この吸収型糸は、加水分解等によって体内に吸収されるので、体内に異物として残らないようにすることができる。
【００１７】
更に、この発明の歯科用インプラントにおいて、前記吸収型糸が前記拡大部の外表面に形成された溝に収容されているようにするとよい。このようにすると、拡大部を縛り付けている吸収型糸が、拡大部の表面から突出しないようにできる。これによって、歯根部を埋め込み孔にスムースに挿入することができる。
【００１８】
そして、この発明の歯科用インプラントにおいて、帆立貝の貝殻を粉砕してできた粉粒体を少なくとも前記拡大部の外表面に固着させてもよい。このようにすると、この粉粒体が拡大部と歯槽骨との結合を促進するので、インプラントを短期間で歯槽骨に強固にしかも安全に固定することができる。
【００１９】
また、この発明の歯科用インプラントにおいて、前記歯根部の表面に凹部及び切欠きのうちのいずれかを形成するとよい。このようにすると、歯根部が歯槽骨に埋設された状態で、歯槽骨が歯根部の凹部又は切欠きに入り込むことができる。これによって、インプラントがその中心軸を中心にして回動しないように固定できる。
【００２０】
更に、この発明の歯科用インプラントにおいて、前記歯根部が、義歯が取り付けられる保持部と一体に形成されているとよい。このようにすると、保持部を歯根部に取り付ける手間及び時間を省略することができる。
【００２１】
そして、この発明の歯科用インプラントにおいて、前記歯根部の外表面が、チタン及びチタン合金のいずれかによって形成されているとよい。このようにすると、チタン及びチタン合金は、骨との高い結合力が得られるので、インプラントを歯槽骨に強固に固定することができる。
【発明の効果】
【００２２】
この発明の歯科用インプラントによると、例えば拡大部を収縮させた状態にして歯根部を埋め込み孔に挿入できるので、埋め込み孔の内面を殆ど損傷させずにインプラントを歯槽骨に埋入できる。よって、例えばインプラントを歯槽骨に埋入したその日のうちに、インプラントに仮歯を取り付けることができる。そして、拡大部を強制的に短時間で拡大させるのではなく、それ自体の復元力によって時間を掛けて拡大するので、インプラントが歯槽骨に与える損傷を、図９（ａ）、（ｂ）に示す従来のインプラント７よりも小さくすることができ、歯槽骨の損傷が短期間で回復する。よって、インプラントを歯槽骨に埋入した時から比較的短い期間（例えば約１箇月）内で義歯をインプラントに取り付ける準備ができる。従って、患者にとっては、早期に義歯を取り付けてもらえて便利であるし、歯科医師にとっては、患者の身体（歯槽骨）に与える損傷が小さいのでストレスが低減する。
【発明を実施するための最良の形態】
【００２３】
以下、本発明に係る歯科用インプラントの実施形態を図１〜図７を参照して説明する。この歯科用インプラント１２は、図７に示すように、義歯１３を歯槽骨１４に固定するためのものである。歯槽骨１４は、皮質骨１４ａと海面骨１４ｂとから成っている。皮質骨１４ａの表面に歯肉部１５が形成されている。インプラント１２は、上部に設けられている保持部１６に義歯１３が取り付けられ、この保持部１６の下端から下方に延びる歯根部１７が歯槽骨１４に埋設される。
【００２４】
図１は、歯槽骨１４に植設される前のインプラント１２であって、歯根部１７の下部に形成されている拡大部１８が、吸収型糸１９で縛られて収縮している状態を示している。図２（ａ）、（ｂ）は、拡大部１８が吸収型糸１９で縛られておらず、拡大した状態を示している。この歯科用インプラント１２は、例えばニッケル・チタン合金（チタン合金）で形成されている。このニッケル・チタン合金は、歯槽骨１４との親和性があり、歯槽骨１４との強い結合力を得ることができる。そして、このニッケル・チタン合金は、形状記憶合金であり、形状記憶効果を有している。
【００２５】
保持部１６は、図７の側面図に示すように、義歯１３が装着される装着部２０、及びこの装着部２０の下側に形成されている鍔状部２１を備えている。装着部２０は、義歯１３の内面形状と対応する形状に形成されている。そして、図２（ａ）、（ｂ）、及び図３（ａ）に示すように、装着部２０は、上部２０ａがほぼ直方体の形状に形成されており、下部２０ｂがほぼ円錐台の形状に形成されている。上部２０ａをほぼ直方体に形成することによって、保持部１６に取り付けられる義歯１３が中心軸を中心にして回動しないように確実に保持することができる。
【００２６】
歯根部１７は、図２（ａ）、（ｂ）、及び図３（ｂ）に示すように、ほぼ砲弾形状であり、連結部２２及び拡大部１８を備えており、保持部１６の側からこの順番で形成されている。連結部２２は、ほぼ短円筒形に形成されており、下方に向かうに従って直径が少し小さくなっている。そして、拡大部１８は、互いに間隔（隙間２７）を隔てて円周方向に沿って配置された４つの脚部１８ａを備えており、中心軸に直行する断面の外表面がほぼ円形に形成されている。この拡大部１８の最大直径Ａ１（例えば約４．４ｍｍ）は、連結部２２の上端部直径Ｂ（例えば約４．０ｍｍ）よりも大きい寸法である。なお、連結部２２の下端部直径Ｃは、例えば約３．９ｍｍである。
【００２７】
また、保持部１６（装着部２０及び鍔状部２１）及び連結部２２の外表面は、鏡面加工されている。このように、鍔状部２１、及び連結部２２の外表面に鏡面加工を施したのは、この部分は、露出する可能性があるので、汚れ難くすると共に、付着する汚れを掃除し易くするためである。更に、拡大部１８の外表面は、図１及び図２（ａ）、（ｂ）に網掛けして示すように、粗面処理が施されている。この粗面処理は、例えば帆立貝の貝殻を粉砕して形成した粉粒体（人工骨の粉粒体）を合成樹脂等を介して固着させる処理である。
【００２８】
更に、図４の断面図に示すように、歯根部１７（拡大部１８）の内側には空間部２３が形成されている。この空間部２３には、例えば帆立貝の貝殻を粉砕して形成した粉粒体２４が収容されている。この粉粒体２４は、吸収型包装体（カプセル２５）に包まれている。
【００２９】
そして、図２（ａ）、（ｂ）、及び図３（ｂ）に示すように、４つの脚部１８ａのうち、対角線方向に配置されている２つの各脚部１８ａに切欠き２６が１つずつ形成されている。一方の切欠き２６は、他方の切欠き２６の位置から中心軸を中心にして１８０°回転移動した位置に形成されている。各切欠き２６は、脚部１８ａの下端部の外表面のうち隙間２７を形成する縁部に沿って円弧状に形成されている。
【００３０】
次に、図１を参照して、拡大部１８を吸収型糸（例えば吸収型手術用糸）１９で縛り付けて、拡大部１８を収縮させた歯科用インプラント１２を説明する。この図１に示すインプラント１２は、図２（ａ）、（ｂ）に示すインプラント１２の空間部２３内に、粉粒体２４が充填されたカプセル２５を収容している。そして、拡大部１８は、粉粒体２４を収容した状態で、吸収型糸１９で上下２箇所の位置で縛られて収縮している。また、吸収型糸１９は、拡大部１８の外表面の周方向に形成された２つの環状の各溝２８、２８内に収容されている。
【００３１】
そして、図１に示すように、この歯科用インプラント１２は、４つの脚部１８ａを互いに隙間（間隔）２７を隔てて配置してあるので、拡大部１８を収縮させる方向に力を掛けると、各脚部１８ａがそれぞれの隙間２７を狭める方向に変形し、これによって、拡大部１８を収縮させることができる。そして、この収縮方向の力を取り除くと、各脚部１８ａの形状記憶効果に基づく復元力によって外側に拡大して、元の図２（ａ）、（ｂ）に示す形状に戻る。また、拡大部１８の断面の外表面がほぼ円形に形成されているので、このインプラント１２を埋め込むための円筒形の埋め込み孔（図５参照）２９をキリで簡単に形成することができる。
【００３２】
図１に示すように、拡大部１８が吸収型糸１９によって縛られて収縮した状態において、拡大部１８の最大直径Ａ２（例えば約３．９ｍｍ）は、連結部２２の下端部直径Ｃ（例えば約３．９ｍｍ）とほぼ同一の寸法となっている。勿論、収縮した拡大部１８の直径Ａ２が、連結部２２の下端部直径Ｃよりも小さくなるようにしてもよい。なお、吸収型糸１９及びカプセル（吸収型包装体）２５は、例えばポリディオキサノン製であり、加水分解等によって体内に吸収されるものであり、体内に異物として残らないものである。
【００３３】
上記のように構成された図１に示す歯科用インプラント１２によると、図７に示すように、歯根部１７を歯槽骨１４に埋設して、この埋設されたインプラント１２に仮歯３０や義歯１３を取り付けることができる。
【００３４】
このインプラント１２を歯槽骨１４に埋設するときは、まず、図５（ａ）に示すように、例えば歯槽骨１４に埋め込み孔２９を形成する。この埋め込み孔２９は、例えばキリで形成することができ、直径は、約４．０ｍｍである。なお、この埋め込み孔２９は、インプラント１２に応じた大きさに形成すればよい。そして、図５（ｂ）に示すように、吸収型糸１９で締め付けられて拡大部１８が収縮した歯根部１７を、埋め込み孔２９に挿入する。拡大部１８が収縮しているので、歯根部１７を埋め込み孔２９に簡単に挿入することができる。そして、歯根部１７を埋め込み孔２９に挿入する際に、歯根部１７が埋め込み孔２９の内面２９ａを殆ど損傷させることがないので、図６に示すように、インプラント１２を埋設したその日のうちに、保持部１６に仮歯３０を取り付けることができる。
【００３５】
そして、インプラント１２を歯槽骨１４に埋入した日から例えば約１箇月の期間内で、インプラント１２が歯槽骨１４に強固に固定される（図７参照）。これによって、インプラント１２を歯槽骨１４に埋入した時から比較的短い期間（例えば約１箇月）内で、仮歯３０に代えて義歯１３をインプラント１２に取り付ける準備ができる。従って、患者にとっては、早期に義歯１３を取り付けてもらえて便利であるし、歯科医師にとっては、患者の身体（歯槽骨１４）に与える損傷が小さいのでストレスが低減する。
【００３６】
また、このように、インプラント１２を歯槽骨１４に埋入した日から例えば約１箇月の短期間で、インプラント１２が歯槽骨１４に強固に固定されるのは、歯槽骨１４に埋め込まれた拡大部１８が、形状記憶効果に基づく復元力によって時間を掛けて拡大するので、インプラント１２が歯槽骨１４に与える損傷を、図９（ａ）、（ｂ）に示す従来の歯科用インプラント７よりも小さくすることができるからであり、歯槽骨１４の損傷が短期間で回復するからである。しかも、拡大部１８が拡大する過程において、歯根部１７が埋め込み孔２９の内面２９ａに固着すると共に、拡大部１８がほぼ元の拡大した形状に戻るので、インプラント１２が歯槽骨１４に強固に固定される。
【００３７】
また、図６に示す歯根部１７内に、帆立貝の貝殻を粉砕して形成した粉粒体２４を配置してあるので、歯根部１７が歯槽骨１４内に埋め込まれた状態で、この粉粒体２４の新生骨形成作用によって、歯根部１７と歯槽骨１４との結合を促進させることができる。そして、この粉粒体２４、拡大部１８、及び歯槽骨１４が一体となることによって、インプラント１２自体の強度を高めることができ、インプラント１２が咬合圧に十分に耐えられるようにすることができる。また、粉粒体２４の材質として選択した帆立貝の貝殻は、除菌効果があるので、歯科用インプラント１２を歯槽骨１４に対して安全に埋設するために適している。
【００３８】
更に、図４に示すように、粉粒体２４をカプセル（吸収型包装体）２５内に収容しているので、拡大部１８内に収容されている粉粒体２４が、インプラント１２を歯槽骨１４に埋入する前に、拡大部１８から分離して零れ出ないようにできる。そして、カプセル２５は、吸収型包装体で形成されているので、加水分解等によって体内に吸収され、体内に異物として残らず安全である。
【００３９】
また、図５（ｂ）に示すように、拡大部１８を吸収型糸１９で縛って収縮させると、この拡大部１８が形成されている歯根部１７を、歯槽骨１４に形成された埋め込み孔２９に、歯槽骨１４を損傷させないようにして簡単に挿入できるようにすることができる。更に、拡大部１８を縛り付けている吸収型糸１９が、拡大部１８の表面から突出しないように溝２８内に収容されているので、歯根部１７を埋め込み孔２９にスムースに挿入できるようにすることができる。この吸収型糸１９は、加水分解等されて体内に吸収されるものであり、体内に異物として残らず安全である。
【００４０】
そして、図７に示すように、帆立貝の貝殻を粉砕して形成された粉粒体を歯根部１７の外表面に固着させているので、この粉粒体が拡大部１８と歯槽骨１４との結合を促進することができ、インプラント１２を短期間で歯槽骨１４に強固にしかも安全に固定することができる。
【００４１】
また、図７に示すように、この歯科用インプラント１２の２つの各脚部１８ａに切欠き２６を形成してあるので（図７には、１つの切欠き２６が現れている。）、歯根部１７が歯槽骨１４に埋設された状態で、歯槽骨１４が切欠き２６に入り込むことができる。これによって、インプラント１２がその中心軸を中心にして回動しないように確実に固定できる。また、歯槽骨１４内で拡大部１８が拡大していること、及び溝２８が拡大部１８の周方向に沿って形成されていることによって、インプラント１２が歯槽骨１４から抜け難くすることができる。
【００４２】
更に、図６に示すように、この歯科用インプラント１２は、歯根部１７と保持部１６とを一体に形成してあるので、保持部１６を歯根部１７に取り付ける手間及び時間を省略することができる。よって、仮歯３０や義歯１３をインプラント１２を介して歯槽骨１４に短時間で取り付けることができる。
【００４３】
そして、歯科用インプラント１２は、ニッケル・チタン合金で形成されており、このニッケル・チタン合金は、歯槽骨１４との親和性があり、歯槽骨１４との強い結合力を得ることができるので、インプラント１２を歯槽骨１４に強固に固定することができる。
【００４４】
ただし、上記実施形態では、図１に示すように、歯根部１７と保持部１６とを一体に形成したが、これに代えて、歯根部１７と保持部１６とを別々の部品として形成して、両者を互いに結合して歯科用インプラント１２を形成する構成としてもよい。
【００４５】
そして、上記実施形態では、歯科用インプラント１２の材質として形状記憶合金（例えばニッケル・チタン合金）を使用したが、これに代えて、弾性的性質を有する金属（例えば金、金合金）を使用してもよい。弾性的性質を有する金属を使用すると、図５（ｂ）に示す歯根部１７が歯槽骨１４に埋め込まれて吸収型糸１９が分解して吸収されたときに、弾性力に基づく復元力によって拡大部１８が外側に拡大するようにできる。そして、インプラント１２を弾性的性質を有する金属で形成した場合は、インプラントの少なくとも歯根部１７の表面をチタン層、又はチタン合金層で形成するとよい。チタン層等は、歯槽骨１４との間で強い結合力が得られるからである。
【００４６】
また、上記実施形態では、図１に示すように、拡大部１８の外表面に粗面処理を施してあり、この粗面処理として、例えば帆立貝の貝殻の粉粒体を合成樹脂等を介して外表面に固着させたが、帆立貝の貝殻以外の人工骨（例えばハイドロオキシアパタイト）の粉粒体を合成樹脂等を介して外表面に固着させてもよい。そして、粗面処理として、これ以外に、例えば酸による処理を施すことによって、表面に多数の小突起を形成してもよい。また、拡大部１８の外表面に多数の小突起、又は多数の小さな凹部が形成されるように、内面に多数の凹部、又は凸部が形成された金型等を使用してこの歯科用インプラント１２を成型加工してもよい。
【００４７】
更に、上記実施例では、図４に示す歯根部１７内に収容されている粉粒体２４の材質として、例えば帆立貝の貝殻を粉砕したものを使用したが、これ以外の人工骨として使用される例えばハイドロオキシアパタイトを使用してもよい。そして、この粉粒体２４をカプセル（吸収型包装体）２５によって包むことで、粉粒体２４が拡大部１８の外側に零れ出ないようにしたが、これに代えて、歯根部１７の全体を吸収型包装体（例えばカプセル）によって包み、これによって、拡大部１８内の粉粒体２４が拡大部１８から分離して零れ出ないようにしてもよい。なお、拡大部１８を吸収型糸１９で縛った状態で、その上から吸収型包装体で包んでもよいし、拡大部１８を吸収型包装体で包んだ状態で、その上からこの拡大部１８を吸収型糸１９で縛ってもよい。
【００４８】
そして、上記実施形態では、図１に示すように、拡大部１８を吸収型糸１９で縛ることによって拡大部１８を収縮させたが、これに代えて、例えば吸収型カプセルを形成し、この吸収型カプセル内に歯根部１７を装着することによって、拡大部１８を収縮させるようにしてもよい。この場合は、拡大部１８内に収容されている粉粒体２４をカプセル２５で包まなくてもよい。
【００４９】
また、上記実施形態では、図１に示すように、各切欠き２６を、脚部１８ａの下端部の外表面のうち、隙間２７を形成する縁部に沿って円弧状に形成したが、これに代えて、図には示さないが、１つ又は２つ以上の各脚部１８ａの外表面に、脚部１８ａの長さ方向（図１の上下方向）に沿って凹部を形成してもよい。このように形成した各凹部は、各凹部内に歯槽骨が形成されると、このインプラント１２が中心軸を中心にして回動しないように固定することができる。
【産業上の利用可能性】
【００５０】
以上のように、本発明に係る歯科用インプラントは、歯槽骨に損傷を殆ど与えることなく、インプラントを歯槽骨の埋め込み孔に挿入して埋設することができ、これによって、仮歯や義歯を短期間で歯槽骨に固定できる優れた効果を有し、このような歯科用インプラント等に適用するのに適している。
【図面の簡単な説明】
【００５１】
【図１】この発明の実施形態に係る歯科用インプラントの拡大部を収縮させた状態を示す正面図である。
【図２】同実施形態に係る歯科用インプラントの拡大部が拡大した状態を示す図であり、（ａ）は正面図、（ｂ）は側面図である。
【図３】同実施形態に係る歯科用インプラントを示す図であり、（ａ）は平面図、（ｂ）は底面図である。
【図４】同実施形態に係る歯科用インプラントであって粉粒体が充填されたカプセルを収容する状態を示すＤ−Ｄ断面図である。
【図５】同実施形態に係る歯科用インプラントを歯槽骨に埋設する手順を示す断面図であり、（ａ）は埋め込み孔が形成された歯槽骨の断面図、（ｂ）は埋め込み孔に埋入されたインプラントを示す断面図である。
【図６】同実施形態に係る歯科用インプラントを歯槽骨に埋入して仮歯を取り付けた状態を示す断面図である。
【図７】同実施形態に係る歯科用インプラントの吸収型糸が分解して吸収された状態を示す断面図である。
【図８】従来の歯科用インプラントを示す正面斜視図である。
【図９】従来の他の歯科用インプラントを示す断面図であり、（ａ）は拡大部が収縮した状態を示す縦断面図、（ｂ）は拡大部が拡大した状態を示す縦断面図である。
【符号の説明】
【００５２】
１２  歯科用インプラント
１３  義歯
１４  歯槽骨
１４ａ  皮質骨
１４ｂ  海面骨
１５  歯肉部
１６  保持部
１７  歯根部
１８  拡大部
１８ａ  脚部
１９  吸収型糸
２０  装着部
２１  鍔状部
２２  連結部
２３  空間部
２４  粉粒体
２５  カプセル（吸収型包装体）
２６  切欠き
２７  隙間
２８  溝
２９  埋め込み孔
２９ａ  埋め込み孔の内面
３０  仮歯
【図１】
2005342157.tif 000003
【図２】
2005342157.tif 000004
【図３】
2005342157.tif 000005
【図４】
2005342157.tif 000006
【図５】
2005342157.tif 000007
【図６】
2005342157.tif 000008
【図７】
2005342157.tif 000009
【図８】
2005342157.tif 000010
【図９】
2005342157.tif 000011